(57)【要約】  土木機械のバケットの摩耗アセンブリは、雄型部品１及び雌型部品２を備え、その両方が、上側接触面及び下側接触面を備えるノーズ１０（雄型部品）又は空洞２０（雌型部品）を有する。上側接触面は、ノーズの先端部又は空洞の底部から後方に延びる上側前方接触部１４、２４を有し、下側接触面は、同様に延びる下側前方接触部１３、２３を有する。上側前方接触部及び下側前方接触部のうちの一方が凹面であり、他方が凸面である。同様に、上側接触面は、ノーズの基部又は空洞の入口から前方に延びる上側後方接触部１６、２６を有し、下側接触面は、同様に延びる下側後方接触部１５、２５を有する。上側後方接触部及び前記下側後方接触部のうちの一方が凹面であり、他方が凸面である。
2016527422.tif 000002
【特許請求の範囲】
【請求項１】
土木機械のバケットの摩耗アセンブリの雌型部品（２）であって、
前記バケット及び前記雌型部品が、直交方向Ｘ、Ｙ及びＺにそれぞれ対応する長さ、幅及び高さを有し、前記雌型部品は、上側接触面及び下側接触面を有する空洞を有する、前記雌型部品（２）において、
前記上側接触面が、前記空洞の底部から後方に延びる上側前方接触部（２４）を有し、
前記下側接触面が、前記空洞の前記底部から後方に延びる下側前方接触部（２３）を有し、
前記上側前方接触部及び前記下側前方接触部（２４、２３）のうちの一方が凹面であり、他方が凸面であり、
前記上側前方接触部（２４）および前記下側前方接触部（２３）の両方が、中央ＸＺ平面に関して対称であることを特徴とする、雌型部品（２）。
【請求項２】
前記上側前方接触部（２４）および前記下側前方接触部（２３）の両方が、実質的に平らな右前面及び左前面を有する、請求項１に記載された雌型部品（２）。
【請求項３】
前記上側接触面が、前記空洞の入口から前方に延びる上側後方接触部（２６）を有し、
前記下側接触面が、前記空洞の前記入口から前方に延びる下側後方接触部（２５）を有し、
前記上側後方接触部及び前記下側後方接触部（２６、２５）のうちの一方が凹面であり、他方が凸面である、請求項１又は請求項２に記載された雌型部品（２）。
【請求項４】
前記空洞が、前記上側前方接触部（２４）と前記上側後方接触部（２６）との間、及び前記下側前方接触部（２３）と前記下側後方接触部（２５）との間における中間部分（２９）においてその底部に向けて先細りしている、請求項３に記載された雌型部品（２）。
【請求項５】
前記上側後方接触部（２６）および前記下側後方接触部（２５）の両方が、前記中央ＸＺ平面に関して対称である、請求項３又は請求項４に記載された雌型部品（２）。
【請求項６】
前記上側後方接触部（２６）および前記下側後方接触部（２５）の両方が、実質的に平らな右後面及び左後面を有する、請求項３から請求項５までのいずれか１項に記載された雌型部品（２）。
【請求項７】
前記上側後方接触部（２６）が凹面であり、前記上側前方接触部（２４）が凸面であるか、又はその逆である、請求項３から請求項６までのいずれか１項に記載された雌型部品（２）。
【請求項８】
前記空洞が、前記中央ＸＺ平面に関して対称である２つの凹面の側面（２７、２８）を有し、
前記側面（２７、２８）のそれぞれが、平らな上側側面及び下側側面を有する、請求項１から請求項７までのいずれか１項に記載された雌型部品（２）。
【請求項９】
下側外側長手方向の凹部（８）を有する、請求項１から請求項８までのいずれか１項に記載された雌型部品（２）。
【請求項１０】
前記凹部（８）が、前記空洞の前記下側接触面の少なくとも一部分に対して実質的に平行である、請求項９に記載された雌型部品（２）。
【請求項１１】
前記上側前方接触部（２４）が、ＹＺ平面に対して平行な任意の横断面上で前記下側前方接触部（２３）に対して平行である、請求項１から請求項１０までのいずれか１項に記載された雌型部品（２）。
【請求項１２】
前記上側前方接触部（２４）が、全体的にみると前記下側前方接触部（２３）に対して平行である、請求項１から請求項１１までのいずれか１項に記載された雌型部品（２）。
【請求項１３】
前記上側後方接触部（２６）が、前記ＹＺ平面に対して平行な任意の横断面上で前記下側後方接触部（２５）に対して平行である、請求項３に記載された、又は請求項３と組み合わされた請求項１から請求項１２までのいずれか１項に記載された雌型部品（２）。
【請求項１４】
前記上側後方接触部（２６）が、全体的にみると前記下側後方接触部（２５）に対して平行である、請求項３に記載された、又は請求項３と組み合わされた請求項１から請求項１３までのいずれか１項に記載された雌型部品（２）。
【請求項１５】
前記上側前方接触部（２４）及び前記下側前方接触部（２３）が、それぞれ、前記ＸＺ平面に対して傾斜している一対の面を有する、請求項１から請求項１４までのいずれか１項に記載された雌型部品（２）。
【請求項１６】
前記上側後方接触部（２６）及び前記下側後方接触部（２５）が、それぞれ、前記ＸＺ平面に対して傾斜している一対の面を有する、請求項３に記載された、又は請求項３と組み合わされた請求項１から請求項１５までのいずれか１項に記載された雌型部品（２）。
【請求項１７】
土木機械のバケットの摩耗アセンブリの雄型部品（１）であって、
前記バケット及び前記雄型部品が、直交方向Ｘ、Ｙ及びＺにそれぞれ対応する長さ、幅及び高さを有し、前記雄型部品は、上側接触面及び下側接触面を有するノーズを有する、前記雄型部品（１）において、
前記上側接触面が、前記ノーズの先端部から後方に延びる上側前方接触部（１４）を有し、
前記下側接触面が、前記ノーズの前記先端部から後方に延びる下側前方接触部（１３）を有し、
前記上側前方接触部及び前記下側前方接触部（１４、１３）のうちの一方が凹面であり、他方が凸面であり、
前記上側前方接触部（１４）および前記下側前方接触部（１３）の両方が、中央ＸＺ平面に関して対称であることを特徴とする、雄型部品（１）。
【請求項１８】
前記上側前方接触部（１４）および前記下側前方接触部（１３）の両方が、実質的に平らな右前面及び左前面を有する、請求項１７に記載された雄型部品（１）。
【請求項１９】
前記上側接触面が、前記ノーズの基部から前方に延びる上側後方接触部（１６）を有し、
前記下側接触面が、前記ノーズの前記基部から前方に延びる下側後方接触部（１５）を有し、
前記上側後方接触部及び前記下側後方接触部（１６、１５）のうちの一方が凹面であり、他方が凸面である、請求項１７又は請求項１８に記載された雄型部品（１）。
【請求項２０】
前記ノーズが、前記上側前方接触部（１４）と前記上側後方接触部（１６）との間、及び前記下側前方接触部（１３）と前記下側後方接触部（１５）との間における中間部分（３９）においてその前方端部に向けて先細りしている、請求項１９に記載された雄型部品（１）。
【請求項２１】
前記上側後方接触部（１６）および前記下側後方接触部（１５）の両方が、前記中央ＸＺ平面に関して対称である、請求項１９又は請求項２０に記載された雄型部品（１）。
【請求項２２】
前記上側後方接触部（１６）および前記下側後方接触部（１５）の両方が、実質的に平らな右後面及び左後面を有する、請求項１９から請求項２１までのいずれか１項に記載された雄型部品（１）。
【請求項２３】
前記上側後方接触部（１６）が凹面であり、前記上側前方接触部（１５）が凸面であるか、又はその逆である、請求項１９から請求項２２までのいずれか１項に記載された雄型部品（１）。
【請求項２４】
前記ノーズが、前記中央ＸＺ平面に関して対称である２つの凸面の側面（１７、１８）を有し、
前記側面（１７、１８）のそれぞれが、平らな上側側面及び下側側面を有する、請求項１７から請求項２３までのいずれか１項に記載された雄型部品（１）。
【請求項２５】
前記上側前方接触部（１４）が、ＹＺ平面に対して平行な任意の横断面上で前記下側前方接触部（１３）に対して平行である、請求項１７から請求項２４までのいずれか１項に記載された雄型部品（１）。
【請求項２６】
前記上側前方接触部（１４）が、全体的にみると前記下側前方接触部（１３）に対して平行である、請求項１７から請求項２５までのいずれか１項に記載された雄型部品（１）。
【請求項２７】
前記上側後方接触部（１６）が、前記ＹＺ平面に対して平行な任意の横断面上で前記下側後方接触部（１５）に対して平行である、請求項１９に記載された、又は請求項１９と組み合わされた請求項１７から請求項２６までのいずれか１項に記載された雄型部品（１）。
【請求項２８】
前記上側後方接触部（１６）が、全体的にみると前記下側後方接触部（１５）に対して平行である、請求項１９に記載された、又は請求項１９と組み合わされた請求項１７から請求項２７までのいずれか1項に記載された雄型部品（１）。
【請求項２９】
前記上側前方接触部（１４）及び前記下側前方接触部（１３）が、それぞれ、前記ＸＺ平面に対して傾斜している一対の面を有する、請求項１７から請求項２８までのいずれか1項に記載された雄型部品（１）。
【請求項３０】
前記上側後方接触部（１６）及び前記下側後方接触部（１５）が、それぞれ、前記ＸＺ平面に対して傾斜している一対の面を有する、請求項１９に記載された、又は請求項１９と組み合わされた請求項１７から請求項２９までのいずれか1項に記載された雄型部品（１）。
【請求項３１】
請求項１から請求項１６までのいずれか１項に記載された雌型部品（２）及び請求項１７から請求項３０までのいずれか１項に記載された雄型部品（１）である摩耗要素を備える摩耗アセンブリにおいて、
前記雄型部品のノーズが、前記雌型部品の空洞に嵌められて、長手方向軸線に沿って取り付け部が形成されるようになっており、
前記雌型部品の前記上側接触面が、前記雄型部品の前記上側接触面と相補的であり、
前記雌型部品の前記下側接触面が、前記雄型部品の前記下側接触面と相補的である、摩耗アセンブリ。
【請求項３２】
前記摩耗要素の質量中心が、前記取り付け部の長手方向軸線の下方にある、請求項３１に記載された摩耗アセンブリ。
【発明の詳細な説明】
【技術分野】
【０００１】
本発明は、土木機械のバケットの摩耗アセンブリの雌型部品に関するものであり、このバケット及び雌型部品は、直交するＸ方向、Ｙ方向及びＺ方向にそれぞれ特定される長さ、幅及び高さを有する。この雌型部品は、上側接触面及び下側接触面を有する空洞を含む。
【０００２】
また、本発明は、この摩耗アセンブリの雄型部品にも関し、この雄型部品は、上側接触面及び下側接触面を備えるノーズを含む。
【０００３】
本発明は、さらに、この雄型部品及び雌型部品を有する摩耗アセンブリにも関するものである。
【背景技術】
【０００４】
掘削機やローダなど、土壌及び岩石などの物質を引き裂き移動するための機械は、通常、機械的アームに取り付けられる１つ又は複数のシャベル又はバケットを備える。バケットは、その前方縁部上に、土壌及び岩石の塊とかみ合い、押しこむことを目的とするブレード又は傾斜リップを備える。リップの過度の摩耗を防止し、土壌中への押し込みを容易にするために、リップに結合されて前方から突出する摩耗要素を取り付けることが通常行われる。この摩耗アセンブリは、物質を引き裂く歯又は先端部材、及びリップ又はバケットに取り付けられて歯をリップに結合させる歯ホルダ又はアダプタを備える。
【０００５】
また、摩耗要素は、特に歯を劣化させる可能性のある摩耗及び大きな応力を受けることが避けられないので、摩耗要素を頻繁に交換しなければならない。また、機械の対象とする作業に応じて、その性能を向上させるために、歯のタイプ又は形状を変えることが望ましい。
【０００６】
それに加えて、土木工事分野の作業は、軽微な工事から通常の工事、大掛かりな工事及び採掘まで様々であり、機械的要件が異なるために、通常は具体的な作業に応じて機械のサイズ及び摩耗アセンブリの型が決定される。
【０００７】
たとえば、建設工事では、採掘作業の場合よりも機械は小さく、負荷及び応力は、公共工事の場合よりも採掘作業の方が大きい。軽負荷の場合、大抵は２部品構成の摩耗アセンブリ、すなわち、たとえば溶接によりリップに取り付けられたアダプタ（しかし、もちろん別の取り付けも除外されない）と、アダプタに結合される歯が使用される。通常、アダプタは雄型部品として構成され、歯は雌型部品として構成される。しかし、その反対の場合もあり、そのアセンブリは「逆システム」と呼ばれる。
【０００８】
耐えるべき負荷が大きい採掘作業では、先端部材（歯）、中間部材及び鋳造又は溶接部材（アダプタ）を含む３部品構成の摩耗アセンブリを使用することが普通である。３部品構成のアセンブリは、アセンブリの重量が極めて重い場合に使用されるので、要素数を増加させることによって、扱いが容易になる。また、３部品構成の摩耗アセンブリは、使用可能な摩耗材料の割合が増加するため有用である。通常、中間部材は、その前方領域に雄型部品を、後方領域に雌型部品を備え、先端部材は雌型部品として構成され、アダプタは雄型部品として構成される。しかし、他の配置、たとえば逆システムも可能である。
【０００９】
異なる部品間の結合は、保持要素、通常は、鉛直方向又は横方向のピンによって維持される。
【００１０】
結合の耐用年数は、以下により制限される。
加えられる力に対抗するための反作用による材料の塑性変形
疲労（これは、歯が、通常の持続期間の場合、５０，０００超の作業サイクルを実施すると計算され、その結果、結合は、亀裂又は他の不具合が疲労現象によって生じないように設計しなければならない）
摩耗（ただし、以下の２つのタイプの摩耗を区別する必要がある）
１  物質の流れによる部品の外側摩耗、
２  ２つの要素（歯と歯のバー）間に入る微細な物質による内部摩耗。それによって、２つの要素の動きのために研磨作用が働きそれらの要素を徐々に磨滅させる。
【００１１】
摩耗アセンブリの取り付け部又は接続部は、雄型部品と雌型部品との接触面から形成され、そこでは負荷が摩耗要素の先端からバケットのリップにアダプタ要素を通じて伝えられる。
【００１２】
機械の作業中、歯の先端は、様々な方向で地面とかみ合い、それによって歯に対する応力が生じ、歯の先端から雄型部品と接触する接触面に伝えられる。すなわち、応力は、先端からアダプタに（又は３部品構成のアセンブリの場合、中間要素に）伝わり、そしてアダプタからバケットに伝わるので、応力は、アセンブリから、そしてピンからも取り除かれる。
【００１３】
従来の摩耗アセンブリでは、雌型部品中のハウジング又は空洞、及び雄型部品の相補的なノーズが、くさび形状に形成される。歯に力が加えられると、この形状のために、アダプタに対する反力が生成される。この反力は、これら２つの要素を分離させ、さらに歯を破壊し、そしてピンに応力を加える傾向があり、このことが、極めて危険な状況に繋がる可能性がある。なぜなら、ピンが抜け落ちることによって、歯も抜け落ちる可能性があるからである。このため、土壌として集められた歯が、それに続く機械類（たとえば破砕機）を破壊する虞があり、非常に有害になる虞がある。さらに、負荷は全方向に伝えられ、摩耗アセンブリ、特に摩耗アセンブリ要素間の接触面又は支持面を、そしてピンをも劣化させる傾向がある。
【００１４】
特許文献１（国際公開第２００７／０９７９８４号）に、ノーズを有する基部及びソケットを有する摩耗部材を含む掘削機器に摩耗部材を固定するための摩耗アセンブリが開示されている。ノーズ及びソケットは、それぞれが１つ又は複数の相補的な固定面をその中央部に備える。しかし、固定面は、大きな負荷が様々な方向で同時に作用したとき、摩耗アセンブリを安定化するほど十分に支持していないことがわかっている。
【先行技術文献】
【特許文献】
【００１５】
【特許文献１】国際公開第２００７／０９７９８４号
【発明の概要】
【発明が解決しようとする課題】
【００１６】
本発明は、応力を減少させるか、又はその方向を変えて、摩耗アセンブリの負担を軽減することが目的である。
【課題を解決するための手段】
【００１７】
以下、「前方」は、歯の先端に向かう長手方向の向きを示し、「後方」はその反対の向きを示す。
【００１８】
第１の観点によれば、土木機械のバケットの摩耗アセンブリの雌型部品が提供される。バケット及び雌型部品は、直交方向Ｘ、Ｙ及びＺにそれぞれ対応する長さ、幅及び高さを有し、バケット及び雌型部品は、上側接触面及び下側接触面を有する空洞を含み、上側接触面は、空洞の底部から後方に延びる上側前方接触部を有し、下側接触面は、空洞の底部から後方に延びる下側前方接触部を有する。上側前方接触部及び下側前方接触部のうちの一方が凹面であり、他方が凸面である。たとえば、空洞の上側前方接触部および下側前方接触部の両方が、Ｖ字形状を示すことができる（その場合、上側前方接触部が凸面になり、下側前方接触部が凹面になる）か、又は逆Ｖ字形状を示すことができる（その場合、上側前方接触部が凹面になり、下側前方接触部が凸面になる）。上側前方接触部および下側前方接触部の両方が、空洞の入口の中心を通るＸＺ平面である中央ＸＺ平面に関して対称である。
【００１９】
ある具体例によれば、上側前方接触部および下側前方接触部の両方は、右前面及び左前面を含むことができ、これらの面は、実質的に平らとすることができる。右前面は、中央ＸＺ平面の一方側に置くことができ、左前面はその他方側に置くことができ、それらは、中央ＸＺ平面に関して対称とすることができる。
【００２０】
ある具体例によれば、上側前方接触部は、ＹＺ平面に対して平行であるいずれかの横断面上で下側前方接触部に対して平行とすることができる。それらは、全体の接触部を考慮すると、実質的に互いに平行とすることができる。あるいは、その代りに、たとえば空洞の底部に向けて先細りにすることができる。他の具体例によれば、上側前方接触部及び下側前方接触部は、互いに平行にしなくてもよい。
【００２１】
ここで空洞の後方接触部を参照すると、上側接触面は、空洞の入口から前方に延びる上側後方接触部を含み、下側接触面は、空洞の入口から前方に延びる下側後方接触部を含み、上側後方接触部及び下側後方接触部の一方が凹面であり、他方が凸面である。前方接触部に関して上記に述べた事項は、後方接触部に同様に適用される。
【００２２】
ある具体例によれば、空洞は、上側前方接触部と上側後方接触部との間、及び下側前方接触部と下側後方接触部との間における中間部分においてその底部に向けて先細りする。
【００２３】
ある具体例によれば、上側後方接触部は、凹面とすることができ、上側前方接触部は、凸面とすることができる（その場合、下側後方接触部は凸面になるはずであり、下側前方接触部は凹面になるはずである）、逆も可能である。すなわち、前方接触部におけるＶ字形状は、後方接触部で逆Ｖ字形状に変わることができ、逆もまた同様である。
【００２４】
ある具体例によれば、空洞は、２つの凹面（空洞から見たとき）である側面を備えることができ、この側面は、中央ＸＺ平面に関して対称である。ある具体例によれば、この側面のそれぞれが、平らな上側側面及び下側側面を含むことができる。これらの面は、（凹面を形成するために）ＸＹ平面に対して傾斜している。ある場合、それらの面は、特定のＸＹ平面に関して対称とすることができる。
【００２５】
第２の観点によれば、摩耗アセンブリの雄型部品は、上側接触面及び下側接触面を備えるノーズを含み、上側接触面は、ノーズの先端部から後方に延びる上側前方接触部を含み、下側接触面は、ノーズの先端部から後方に延びる下側前方接触部を含む。上側前方接触部及び下側前方接触部のうちの一方が凹面であり、他方が凸面である。たとえば、ノーズの上側前方接触部および下側前方接触部の両方が、Ｖ字形状を示すことができる（その場合、上側前方接触部は凹面になり、下側前方接触部は凸面になる）か、又は逆Ｖ字形状を示すことができる（その場合、上側前方接触部は凸面になり、下側前方接触部は凹面になる）。
【００２６】
雄型部品は、凹部を凸部に（またはその逆）、空洞をノーズに、空洞の底部をノーズの先端部に置き換えることにより、雌型部品と同様に規定される。雌型部品に関して上記に説明された事項は、雄型部品に同様に適用される（さらに空洞の入口の代わりにノーズの基部に置き換える）。
【００２７】
雌型部品と同様に、雄型部品のノーズは、上側前方接触部と上側後方接触部との間、及び下側前方接触部と下側後方接触部との間における中間部分において前方端部に向けて先細りにすることができる。
【００２８】
雌型部品と同様に、雄型部品のノーズは、中央ＸＺ平面に関して対称である２つの凸側面を有することができる。凸側面は、雌型部品の対応する凹側面と作用して、横方向の力に対抗して雄型部品と雌型部品との間の取り付け部を安定化する助けになるように寄与する。
【００２９】
摩耗アセンブリは、上記の雌型部品及び雄型部品である摩耗要素を備えることができるので、雄型部品のノーズは、雌型部品の空洞中に嵌り、長手方向軸線に沿って取り付け部が形成され、雌型部品の上側接触面は、雄型部品の上側接触面と相補的であり、雌型部品の下側接触面は、雄型部品の下側接触面と相補的である。上記のように、先端に作用する負荷は、方向及び強さが様々であるため支持面に対する反作用を生じる可能性があり、この反作用は、歯を回転させて、アダプタから引き抜く傾向がある。しかし、雄型部品および雌型部品の両方の前方接触部及び後方接触部のＶ字又は逆Ｖ字の形状により、これらの反作用は補償される。Ｖ字形状と逆Ｖ字形状とは、それらの取り付け部が摩耗アセンブリの作動又は使用の間に生成される反作用を分配するために、雄型部品に対して雌型部品をしっかりと締め付けるようにする傾向があるので、雄型部品に対する雌型部品の保持に有利に働き、取り付けシステム及び保持システム、特にピンに作用する応力が減少されるからである。
【００３０】
これは、以下の理由により達成される。すなわち、様々な部品が、特別な方法（Ｖ字又は逆Ｖ字の形状に基づく）により互いに相補的な接触面（又は支持領域）を備える取り付け領域を有しており、それによって、摩耗アセンブリに作業応力が作用しても、雄型部品と雌型部品との完全な安定化が達成されるからである。この安定化の目的は、摩耗要素をアダプタに自然にしっかりと締め付けることによって摩耗要素が前方に外れないように防止するか、又は少なくとも遅らせ、且つ摩耗要素、アダプタ及びピンに作用する応力を減少させ、それによって摩耗アセンブリの要素の有用年数を延ばすことである。
【００３１】
具体的には、雄型部品と雌型部品との間の結合及びそれらの支持（すなわち接触）面の間の接触によって、先端に加えられる力に対する応答として接触面に対する反力が生成されることが可能になり、反力は、雄型部品を雌型部品中にしっかりと締め付ける傾向があり、そのため摩耗アセンブリの応力が減少され、その耐用年数が延ばされる。また、摩耗アセンブリは、接触面（比較的高い面であることが好ましい）が修理を受けられるように、部品へのアクセスが良好になっている。
【００３２】
雄型部品及び雌型部品の上側及び下側の接触部は、雄型部品と雌型部品との間の接触領域である。一般に、雄型部品／雌型部品の接触面は、それぞれ雌型部品／雄型部品の対応する接触面と接触状態であるように設計された面であることを理解する必要がある。したがって、雄型部品又は雌型部品が分離した部品として考えられる場合、それらの接触面は、明確に規定される。
【００３３】
ある具体例によれば、雄型又は雌型の部品のいずれか（どちらが摩耗要素であるかによって決まる）は、下側外側長手方向凹部を含むことができ、それは、摩耗要素の前方部から後方部に延びることができることが好ましく、たとえば凹部は、摩耗要素の長さの全部又はほぼ全部（おおよそ３／４よりも多い）をカバーすることができる。凹部は、空洞の下側接触面の少なくとも一部分に対して、たとえば１つの下側後方接触部に対して実質的に平行とすることができる。換言すると、凹部は、摩耗要素の他の要素（摩耗要素に結合される）との下側接触領域に対して平行とすることができ、そのため、厚さが均一になる。凹部によって、摩耗要素の区画が減少されて、押し込み性が向上し、また、凹部は、応力を減少させるように共同して働く。歯の地面への押し込みを容易にすることは重要であり、それは、歯が先端ですり減るほど、押し込みに対する抵抗が大きくなり、そして機械に求められる力が大きくなり、それによって燃料消費及び生産コストが上昇するからである。下側凹部は、連続する良好な押し込みと良好な抵抗領域の釣り合いをとることができる。
【００３４】
ある具体例によれば、摩耗要素の質量の中心は、取り付け部の長手方向軸線（中央Ｘ方向）の下方にある、すなわち、下側摩耗領域に材料が多い。これは、摩耗要素が、まさにこの領域での摩耗が大きいので、有利である。
【００３５】
３部品構成のアセンブリでは、２つの摩耗アセンブリ、すなわち先端と中間部材との間の第１の摩耗アセンブリ、および中間部材とアダプタとの間の第２の摩耗アセンブリが存在する。ある具体例によれば、第１及び第２の摩耗アセンブリは、同じものとすることができるが、他の具体例では、それらは異なるものとすることができる。たとえば、Ｖ字又は逆Ｖ字の構成は、第１の摩耗アセンブリと第２の摩耗アセンブリとで異なるか、又は逆のものとすることができる。
【００３６】
既に述べたように、雄型部品は、接触領域（対称面）を損なう可能性のある塑性変形又は内部摩耗を被る。３部品構成の摩耗アセンブリを使用すると、寿命を延ばすために接触領域を修理することが通常である。そのため、雄型部品のノーズの修理を容易にするために、接触領域が、広く平坦であってアクセス可能であることが有利である。
【００３７】
本発明のいくつかの具体的な例を、ただ非限定の例として、添付図面を参照して下記に説明する。
【図面の簡単な説明】
【００３８】
【図１】２部品構成の摩耗アセンブリの斜視図。
【図２】３部品構成の摩耗アセンブリの斜視図。
【図３】雌型部品の後方斜視図。
【図４】図３の雌型部品の側面図。
【図５】図３の雌型部品の背面図。
【図６】図５と同様であるが、拡大した図。
【図７】先端部要素に納められた図３の雌型部品の長手方向横断面図。
【図８】図３の雌型部品の底部斜視図。
【図９】雄型部品の斜視図。
【図１０】図９の雄型部品の上面図。
【図１１】図９の雄型部品の側面図。
【図１２】図９の雄型部品の前面図。
【図１３】雄型部品の別の具体例の斜視図。
【図１４】図１３の雄型部品の底部斜視図。
【発明を実施するための形態】
【００３９】
摩耗アセンブリの理解のために上記の図面を参照していくつかの具体例を以下に説明する。
【００４０】
バケット用の摩耗アセンブリに含まれる要素又は部品は、使用目的に応じて異なるものにできる。図１は、雄型部品１及び雌型部品２を備える２部品構成の摩耗アセンブリを示す。ここで、雌型部品は歯３であり、雄型部品はアダプタ４である。図２は、先端５、中間要素６及び溶接された（又は鋳造された、若しくはそうでなければ取り付けられた）ノーズ７を備える３部品構成の摩耗アセンブリを示す。また、図１は、３つの直交軸Ｘ、Ｙ、Ｚを示し、Ｘは長手方向軸線であり、Ｙは水平軸線であり、Ｚは垂直軸線である（これらの軸は、バケットに関しても考えることができ、Ｘ、Ｙ及びＺは、それぞれバケットの長さ、幅及び高さの方向に延びる）。
【００４１】
３部品構成のアセンブリにおける中間要素としての雌型部品が、図３〜図８に詳細に示されている。雌型部品２は、開口部２１（空洞の入口）から前方内側面２２（空洞の底部）、上側前方接触部２４、下側前方接触部２３、上側後方接触部２６、および下側後方接触部２５に延びる空洞２０を含む。前方接触部および後方接触部のいずれも、ＸＹ平面（「水平」平面）に平行な平面に関して対称ではないが、中央ＸＺ平面（鉛直長手方向平面）に関して対称である。
【００４２】
これらの４つの接触部２３、２４、２５及び２６のそれぞれが、ＸＺ平面に対して傾斜している一対の面を含む。このことは、それらがＹ軸に対して平行でないことを意味する。示唆されるように、この傾斜面は、ＸＺ平面に関して対称である。傾斜は、下方又は上方とすることができる、すなわち、これらの部分によって形成される接触領域は、凸面又は凹面とすることができる。換言すると、接触領域は、Ｖ字形状又は逆Ｖ字形状を示すことができる。
【００４３】
図３及び図７からわかるとおり、上側前方接触部２４と上側後方接触部２６との間、及び下側前方接触部と下側後方接触部２５の間に、雌型部品２の空洞がその底部に向けて先細りしている中間部分２９が存在する。
【００４４】
図６からわかるとおり、下側前方接触部２３は、ＸＺ平面に関して対称である右下側前面２３１及び左下側前面２３２を有し、上側前方接触部２４は、ＸＺ平面に関して対称である右上側前面２４１及び左上側前面２４２を有する。下側後方接触部２５は、ＸＺ平面に関して対称である右下側後面２５１及び左下側後面２５２を有し、上側後方接触部２６は、ＸＺ平面に関して対称である右上側後面２６１及び左上側後面２６２を有する。
【００４５】
図では、前方接触面２３及び２４及び後方接触面２５及び２６の形状は、互いに逆である。すなわち前方接触面はＶ字形状を示し、後方接触面は逆Ｖ字形状を示しており、その間に、平坦な遷移面が存在する。しかし、他の実施も可能である（たとえば前方及び後方の形状をおおよそ同じ形状とすることができる）。
【００４６】
図５からわかるとおり、雌型部品は、２つの側方外側面３７及び３８を含み、それらは、ＸＺ平面およびＸＹ平面の両方に対して傾斜し、これらの平面に関して対称である。これらの側面は凸面であり、それによって先端領域での押し進みが向上される。それは、摩耗要素の横断面が、隅部を排除してしまったことによって縮小されているからである。
【００４７】
また、空洞は、２つの側方内側凹面２７及び２８を含み、それらは、ＸＺ平面およびＸＹ平面の両方に対して傾斜し、これらの平面に関して対称である。
【００４８】
３部品構成のアセンブリにおける中間要素としての雄型部品が、図９〜図１２に詳細に示されている。雄型部品１は、肩部１１から前方外側面１２に延びるノーズ又は突起部１０、上側前方接触部１４、下側前方接触部１３、上側後方接触部１６、および下側後方接触部１５を有する。前方接触部１３と１４は、ＹＺ平面に平行な平面（横断平面）と交差したとき、上側及び下側の交差カーブが互いに平行であるという意味で、互いにほぼ平行である。また、それらの平面は、Ｘ方向で平行とすることができ、その場合、それらは実質的に平行である。同様に、後方接触部１５及び１６は、ＹＺ平面に対して平行な平面と交差したとき、上側及び下側の交差カーブが互いに平行であるという意味で、互いにほぼ平行である。また、それらは、Ｘ方向で平行とすることができ、その場合、それらは実質的に平行である。前方部分および後方部分のいずれも、ＸＹ平面（「水平」平面）に対して平行な平面に関して対称でないが、中央ＸＺ平面（長手方向平面）に関して対称である。
【００４９】
これら４つの部分１３、１４、１５及び１６のそれぞれが、ＸＺ平面に対して傾斜している一対の面を含む。このことは、それらがＹ軸に対して平行でないことを意味する。示唆されるように、この傾斜面は、ＸＺ平面に関して対称である。傾斜は、下方又は上方とすることができる、すなわち、これらの部分によって形成される接触領域は、凹面又は凸面とすることができる。換言すると、接触領域は、Ｖ字形状又は逆Ｖ字形状を示すことができる。
【００５０】
図４及び図７からわかるとおり、上側前方接触部１４と上側後方接触部１６の間及び下側前方接触部１３と下側後方接触部１５の間に、雄型部品１のノーズがその前方端部に向けて先細りしている中間部分３９が存在する。
【００５１】
下側前方接触部１３は、ＸＺ平面に関して対称である右下側前面１３１及び左下側前面１３２を有し（「右」及び「左」は、先端部を見たときのものであり、雌型部品の対応する要素と同様の番号付けを行うように定義される）、上側前方接触部１４は、ＸＺ平面に関して対称である右上側前面１４１及び左上側前面１４２を有し、下側後方接触部１５は、ＸＺ平面に関して対称である右下側後面１５１及び左下側後面１５２を有する。上側後方接触部１６は、ＸＺ平面に関して対称である右上側後面１６１及び左上側後面１６２を有する。
【００５２】
図では、前方接触面１３及び１４と後方接触面１５及び１６の形状は、互いに逆にされる。すなわち前面はＶ字形状を示し、後面は逆Ｖ字形状を示しており、その間に、雄型部品面の修理を容易にするために、容易にアクセス可能な平坦な遷移面が存在する（平坦な接触面のサイズが比較的大きいと、ノーズについての修理も容易になる）。しかし、同じように、前方及び後方の形状の両方を、凹面、又は凸面とすることができる。
【００５３】
また、ノーズは２つの側面１７及び１８を有し、側面１７及び１８は、ＸＺ平面およびＸＹ平面の両方に対して傾斜し、それらの平面に関して対称である。これらの側面は、凸面であり、雌型部品の空洞の対応する側方凹面２７及び２８に適合している。
【００５４】
前方及び後方の接触面は湾曲させることができる。たとえば、Ｚ軸上に中心のある球の扇形にすることができる（雌型部品の面についても同様である）。この場合、摩耗アセンブリの作用は、前の場合と同様である。
【００５５】
別の具体例（図１３及び図１４）によれば、前方及び後方の接触面は平らであるが、水平でＸ軸に対して平行な延伸部３１又は３３によって分離されている。この具体例では、雄型部品の対称面は、突出して、変形及び摩耗の視覚的指示として作用する一連の段３２又は３４がノーズ上に形成される。
【００５６】
上記の具体例では、３部品構成の摩耗アセンブリは、中間要素６とノーズ７との間の結合と、先端５と中間要素６との間の結合が同じであるが、これら２つの結合は異なってもよい。たとえば、Ｖ字及び逆Ｖ字構成は、一方の結合と他方の結合で逆にすることができる。あるいは、面の傾斜を異なるものとすることができる。
【００５７】
最後に、摩耗アセンブリの先端５及び中間要素６は、押し進めるための領域を向上させるために、雌型部品２の下側の後方及び前方の接触面２３及び２５に対して実質的に平行な下側外部凹部８（図５〜図８）を有する。
【００５８】
本発明の具体的な例だけを本明細書に示したが、当業者は、添付の特許請求の範囲によって定義された保護範囲から逸脱せずに、それぞれの場合の具体的な要件に応じて修正を行い、いずれかの技術的構成を技術的に同等の他の構成と置換できるであろう。
【図１−２】
2016527422.tif 000003
【図３】
2016527422.tif 000004
【図４】
2016527422.tif 000005
【図５】
2016527422.tif 000006
【図６】
2016527422.tif 000007
【図７】
2016527422.tif 000008
【図８】
2016527422.tif 000009
【図９】
2016527422.tif 000010
【図１０】
2016527422.tif 000011
【図１１】
2016527422.tif 000012
【図１２】
2016527422.tif 000013
【図１３】
2016527422.tif 000014
【図１４】
2016527422.tif 000015
【手続補正書】
【提出日】平成27年9月10日(2015.9.10)
【手続補正１】
【補正対象書類名】特許請求の範囲
【補正対象項目名】全文
【補正方法】変更
【補正の内容】
【特許請求の範囲】
【請求項１】
土木機械のバケットの摩耗アセンブリの雌型部品（２）であって、
前記バケット及び前記雌型部品が、直交方向Ｘ、Ｙ及びＺにそれぞれ対応する長さ、幅及び高さを有し、前記雌型部品は、上側接触面及び下側接触面を有する空洞を有し、
前記上側接触面が、前記空洞の底部から後方に延びる上側前方接触部（２４）を有し、
前記下側接触面が、前記空洞の前記底部から後方に延びる下側前方接触部（２３）を有し、
前記上側前方接触部及び前記下側前方接触部（２４、２３）のうちの一方が凹面であり、他方が凸面であり、
前記上側前方接触部（２４）および前記下側前方接触部（２３）の両方が、中央ＸＺ平面に関して対称であり、
前記上側接触面が、前記空洞の入口から前方に延びる上側後方接触部（２６）を有し、
前記下側接触面が、前記空洞の前記入口から前方に延びる下側後方接触部（２５）を有し、
前記上側後方接触部及び前記下側後方接触部（２６、２５）のうちの一方が凹面であり、他方が凸面である、前記雌型部品（２）において、
前記上側後方接触部（２６）が凹面であり、前記上側前方接触部（２４）が凸面であるか、又はその逆であり、
前記上側後方接触部（２６）が、前記ＹＺ平面に対して平行な任意の横断面上で前記下側後方接触部（２５）に対して平行であることを特徴とする、雌型部品（２）。
【請求項２】
前記上側前方接触部（２４）および前記下側前方接触部（２３）の両方が、実質的に平らな右前面及び左前面を有する、請求項１に記載された雌型部品（２）。
【請求項３】
前記空洞が、前記上側前方接触部（２４）と前記上側後方接触部（２６）との間、及び前記下側前方接触部（２３）と前記下側後方接触部（２５）との間における中間部分（２９）においてその底部に向けて先細りしている、請求項１に記載された雌型部品（２）。
【請求項４】
前記上側後方接触部（２６）および前記下側後方接触部（２５）の両方が、前記中央ＸＺ平面に関して対称である、請求項１から請求項３までのいずれか１項に記載された雌型部品（２）。
【請求項５】
前記上側後方接触部（２６）および前記下側後方接触部（２５）の両方が、実質的に平らな右後面及び左後面を有する、請求項１から請求項４までのいずれか１項に記載された雌型部品（２）。
【請求項６】
前記空洞が、前記中央ＸＺ平面に関して対称である２つの凹面の側面（２７、２８）を有し、
前記側面（２７、２８）のそれぞれが、平らな上側側面及び下側側面を有する、請求項１から請求項５までのいずれか１項に記載された雌型部品（２）。
【請求項７】
下側外側長手方向の凹部（８）を有する、請求項１から請求項６までのいずれか１項に記載された雌型部品（２）。
【請求項８】
前記凹部（８）が、前記空洞の前記下側接触面の少なくとも一部分に対して実質的に平行である、請求項７に記載された雌型部品（２）。
【請求項９】
前記上側前方接触部（２４）が、ＹＺ平面に対して平行な任意の横断面上で前記下側前方接触部（２３）に対して平行である、請求項１から請求項８までのいずれか１項に記載された雌型部品（２）。
【請求項１０】
前記上側前方接触部（２４）が、全体的にみると前記下側前方接触部（２３）に対して平行である、請求項１から請求項９までのいずれか１項に記載された雌型部品（２）。
【請求項１１】
前記上側後方接触部（２６）が、全体的にみると前記下側後方接触部（２５）に対して平行である、請求項１から請求項１０までのいずれか１項に記載された雌型部品（２）。
【請求項１２】
前記上側前方接触部（２４）及び前記下側前方接触部（２３）が、それぞれ、前記ＸＺ平面に対して傾斜している一対の面を有する、請求項１から請求項１１までのいずれか１項に記載された雌型部品（２）。
【請求項１３】
前記上側後方接触部（２６）及び前記下側後方接触部（２５）が、それぞれ、前記ＸＺ平面に対して傾斜している一対の面を有する、請求項１から請求項１２までのいずれか１項に記載された雌型部品（２）。
【請求項１４】
土木機械のバケットの摩耗アセンブリの雄型部品（１）であって、
前記バケット及び前記雄型部品が、直交方向Ｘ、Ｙ及びＺにそれぞれ対応する長さ、幅及び高さを有し、前記雄型部品は、上側接触面及び下側接触面を有するノーズを有し、
前記上側接触面が、前記ノーズの先端部から後方に延びる上側前方接触部（１４）を有し、
前記下側接触面が、前記ノーズの前記先端部から後方に延びる下側前方接触部（１３）を有し、
前記上側前方接触部及び前記下側前方接触部（１４、１３）のうちの一方が凹面であり、他方が凸面であり、
前記上側前方接触部（１４）および前記下側前方接触部（１３）の両方が、中央ＸＺ平面に関して対称であり、
前記上側接触面が、前記ノーズの基部から前方に延びる上側後方接触部（１６）を有し、
前記下側接触面が、前記ノーズの前記基部から前方に延びる下側後方接触部（１５）を有し、
前記上側後方接触部及び前記下側後方接触部（１６、１５）のうちの一方が凹面であり、他方が凸面である、前記雄型部品（１）において、
前記上側後方接触部（１６）が凹面であり、前記上側前方接触部（１５）が凸面であるか、又はその逆であり、
前記上側後方接触部（１６）が、前記ＹＺ平面に対して平行な任意の横断面上で前記下側後方接触部（１５）に対して平行であることを特徴とする、雄型部品（１）。
【請求項１５】
前記上側前方接触部（１４）および前記下側前方接触部（１３）の両方が、実質的に平らな右前面及び左前面を有する、請求項１４に記載された雄型部品（１）。
【請求項１６】
前記ノーズが、前記上側前方接触部（１４）と前記上側後方接触部（１６）との間、及び前記下側前方接触部（１３）と前記下側後方接触部（１５）との間における中間部分（３９）においてその前方端部に向けて先細りしている、請求項１４に記載された雄型部品（１）。
【請求項１７】
前記上側後方接触部（１６）および前記下側後方接触部（１５）の両方が、前記中央ＸＺ平面に関して対称である、請求項１４から請求項１６までのいずれか１項に記載された雄型部品（１）。
【請求項１８】
前記上側後方接触部（１６）および前記下側後方接触部（１５）の両方が、実質的に平らな右後面及び左後面を有する、請求項１４から請求項１７までのいずれか１項に記載された雄型部品（１）。
【請求項１９】
前記ノーズが、前記中央ＸＺ平面に関して対称である２つの凸面の側面（１７、１８）を有し、
前記側面（１７、１８）のそれぞれが、平らな上側側面及び下側側面を有する、請求項１４から請求項１８までのいずれか１項に記載された雄型部品（１）。
【請求項２０】
前記上側前方接触部（１４）が、ＹＺ平面に対して平行な任意の横断面上で前記下側前方接触部（１３）に対して平行である、請求項１４から請求項１９までのいずれか１項に記載された雄型部品（１）。
【請求項２１】
前記上側前方接触部（１４）が、全体的にみると前記下側前方接触部（１３）に対して平行である、請求項１４から請求項２０までのいずれか１項に記載された雄型部品（１）。
【請求項２２】
前記上側後方接触部（１６）が、全体的にみると前記下側後方接触部（１５）に対して平行である、請求項１４から請求項２１までのいずれか1項に記載された雄型部品（１）。
【請求項２３】
前記上側前方接触部（１４）及び前記下側前方接触部（１３）が、それぞれ、前記ＸＺ平面に対して傾斜している一対の面を有する、請求項１４から請求項２２までのいずれか1項に記載された雄型部品（１）。
【請求項２４】
前記上側後方接触部（１６）及び前記下側後方接触部（１５）が、それぞれ、前記ＸＺ平面に対して傾斜している一対の面を有する、請求項１４から請求項２３までのいずれか1項に記載された雄型部品（１）。
【請求項２５】
請求項１から請求項１３までのいずれか１項に記載された雌型部品（２）及び請求項１４から請求項２４までのいずれか１項に記載された雄型部品（１）である摩耗要素を備える摩耗アセンブリにおいて、
前記雄型部品のノーズが、前記雌型部品の空洞に嵌められて、長手方向軸線に沿って取り付け部が形成されるようになっており、
前記雌型部品の前記上側接触面が、前記雄型部品の前記上側接触面と相補的であり、
前記雌型部品の前記下側接触面が、前記雄型部品の前記下側接触面と相補的である、摩耗アセンブリ。
【請求項２６】
前記摩耗要素の質量中心が、前記取り付け部の長手方向軸線の下方にある、請求項２５に記載された摩耗アセンブリ。
【国際調査報告】
2016527422.tif 000016
2016527422.tif 000017
2016527422.tif 000018
2016527422.tif 000019